(57)【要約】      （修正有）【課題】一枚のシートから形成することができ、組み立てが容易で、内容物を外力や衝撃から保護する緩衝効果も高い組立式紙器を提供する。【解決手段】外側側壁部５と、上記外側側壁部に連設された内側側壁部９と、を具備し、上記外側側壁部と上記内側側壁部との間に形成された折り曲げ線を介して、上記内側側壁部を上記外側側壁部側に折り曲げ、上記折り曲げた状態の上記外側側壁部及び上記内側側壁部を屈曲させその両端を接合させることにより、上記外側側壁部により外側筒状体６を形成するとともに上記内側側壁部により上記外側筒状体に対して空間を存した状態で内側筒状体１０を形成するように組み立てられるもの。【選択図】図４
0003162468.tif 000002
【実用新案登録請求の範囲】
【請求項１】
外側側壁部と、上記外側側壁部に連設された内側側壁部と、を具備し、
上記外側側壁部と上記内側側壁部との間に形成された折り曲げ線を介して、上記内側側壁部を上記外側側壁部側に折り曲げ、
上記折り曲げた状態の上記外側側壁部及び上記内側側壁部を屈曲させその両端を接合させることにより、上記外側側壁部により外側筒状体を形成するとともに上記内側側壁部により上記外側筒状体に対して空間を存した状態で内側筒状体を形成するように組み立てられることを特徴とする組立式紙器。
【請求項２】
請求項１記載の組立式紙器において、
上記外側側壁部には外蓋が連設されており、
組み立て時に上記外側側壁部と外蓋の間に設けられた折り曲げ線によって上記外蓋が折り曲げられ、
上記外側筒状体の開口部を閉塞するように組み立てられることを特徴とする組立式紙器。
【請求項３】
請求項１又は請求項２記載の組立式紙器において、
上記内側側壁部には内蓋が連設されており、
組み立て時に上記内側側壁部と内蓋の間に設けられた折り曲げ線によって上記内蓋が折り曲げられ、
上記内側筒状体の開口部を閉塞するように組み立てられることを特徴とする組立式紙器。
【請求項４】
請求項３記載の組立式紙器において、
上記外側側壁部と上記内側側壁部にはそれぞれ外蓋と内蓋が連設されており、
上記内蓋と上記外蓋の間に空間が形成されるように組み立てられることを特徴とする組立式紙器。
【請求項５】
請求項１〜請求項４の何れかに記載の組立式紙器において、
上記内側側壁部には、上記外側筒状体と上記内側筒状体との間に空間を設けるための空間保持用片が設けられていることを特徴とする組立式紙器。
【請求項６】
請求項１〜請求項５の何れかに記載の組立式紙器において、
上記外側側壁部及び上記内側側壁部は多角形の組立式紙器を構成するべく該多角形の各辺に対応する複数の要素片をそれぞれ備えていることを特徴とする組立式紙器。
【考案の詳細な説明】
【技術分野】
【０００１】
本考案は、内容物を外力や衝撃から保護する緩衝機能を有する組立式紙器に係り、特に、一枚のシートから形成することができ、組み立てが容易で、緩衝効果も高いものとすることができるように工夫したものに関する。
【背景技術】
【０００２】
従来の緩衝機能を有する組立式紙器としては、例えば、特許文献１乃至特許文献３に開示されているようなものがあった。
【先行技術文献】
【特許文献】
【０００３】
【特許文献１】特開２００８−１５５９７８号公報
【特許文献２】特開平１０−１０１０５８号公報
【特許文献３】特開平８−５３１２５号公報
【考案の概要】
【考案が解決しようとする課題】
【０００４】
上記従来の構成によると、次のような問題があった。
まず、特許文献１に記載された発明による包装箱は、構成が複雑で、組立にも多くの労力を要してしまうという問題があった。又、ガイドフラップが設けられている側面以外は、内容物であるバイアルと包装箱の側面外壁との隙間が殆どないため、外力や衝撃から十分にバイアルを保護することができないという問題もあった。
次に、特許文献２に記載された発明による緩衝機能付箱も、内容物である瓶と側面外壁との間に殆ど隙間がなく、外力や衝撃から十分に瓶を保護することができないという問題があった。
さらに、特許文献３に記載された発明による包装箱では、外箱とは別に内箱を用意しなければならないため、構成が複雑で、組立にも多くの労力を要してしまうという問題があった。
【０００５】
本願考案はこのような点に基づいてなされたもので、その目的とするところは、一枚のシートから形成することができ、組み立てが容易で、内容物を外力や衝撃から保護する緩衝効果も高い組立式紙器を提供することにある。
【課題を解決するための手段】
【０００６】
上記課題を解決するべく請求項１に記載された考案は、外側側壁部と、上記外側側壁部に連設された内側側壁部と、を具備し、上記外側側壁部と上記内側側壁部との間に形成された折り曲げ線を介して、上記内側側壁部を上記外側側壁部側に折り曲げ、上記折り曲げた状態の上記外側側壁部及び上記内側側壁部を屈曲させその両端を接合させることにより、上記外側側壁部により外側筒状体を形成するとともに上記内側側壁部により上記外側筒状体に対して空間を存した状態で内側筒状体を形成するように組み立てられることを特徴とするものである。
又、請求項２に記載された考案は、請求項１記載の組立式紙器において、上記外側側壁部には外蓋が連設されており、組み立て時に上記外側側壁部と外蓋の間に設けられた折り曲げ線によって上記外蓋が折り曲げられ、上記外側筒状体の開口部を閉塞するように組み立てられることを特徴とするものである。
又、請求項３に記載された考案は、請求項１又は請求項２記載の組立式紙器において、上記内側側壁部には内蓋が連設されており、組み立て時に上記内側側壁部と内蓋の間に設けられた折り曲げ線によって上記内蓋が折り曲げられ、上記内側筒状体の開口部を閉塞するように組み立てられることを特徴とするものである。
又、請求項４に記載された考案は、請求項３記載の組立式紙器において、上記外側側壁部と上記内側側壁部にはそれぞれ外蓋と内蓋が連設されており、上記内蓋と上記外蓋の間に空間が形成されるように組み立てられることを特徴とするものである。
又、請求項５に記載された考案は、請求項１〜請求項４の何れかに記載の組立式紙器において、上記内側側壁部には、上記外側筒状体と上記内側筒状体との間に空間を設けるための空間保持用片が設けられていることを特徴とするものである。
又、請求項６に記載された考案は、請求項１〜請求項５の何れかに記載の組立式紙器において、上記外側側壁部及び上記内側側壁部は多角形の組立式紙器を構成するべく該多角形の各辺に対応する複数の要素片をそれぞれ備えていることを特徴とするものである。
【考案の効果】
【０００７】
以上述べたように、請求項１記載の考案による組立式紙器は、外側側壁部と、上記外側側壁部に連設された内側側壁部と、を具備し、上記外側側壁部と上記内側側壁部との間に形成された折り曲げ線を介して、上記内側側壁部を上記外側側壁部側に折り曲げ、上記折り曲げた状態の上記外側側壁部及び上記内側側壁部を屈曲させその両端を接合させて組み立てられるため、一枚の紙板を折り曲げ及び接着・固定することによって所望の紙器を容易に組み立てることができる。
又、請求項１記載の考案による組立式紙器は、外側筒状体と内側筒状体との間に空間が形成されるように組み立てられるものである。そのため、上記内側筒状体の内部に収納した内容物を側面方向からの外力や衝撃から保護することができる。
又、請求項２記載の考案による組立式紙器は、上記外側側壁部に外蓋が連設されているため、上面方向や下面方向からの外力や衝撃からも内容物を保護することができる。
又、請求項３記載の考案による組立式紙器は、上記内側側壁部に内蓋が連設されているため、請求項２記載の考案による組み立て紙器と同様の効果を得ることができる。また、外側側壁部に外蓋も連設されていれば、更に高い上記効果を得ることができる。
又、請求項４記載の考案による組立式紙器は、上記内蓋と上記外蓋の間に空間が形成されるように組み立てられるため、更に、より高い上記効果を得ることができる。
又、請求項５記載の考案による組立式紙器は、上記内側側壁部には、上記外側筒状体と上記内側筒状体との間に空間を設けるための空間保持用片が設けられているため、この空間保持用片によって上記空間がより強固な構成となっている。そのため、請求項１記載の考案による組立式紙器による効果を高めることができる。
又、請求項６記載の考案による組立式紙器は、上記外側側壁部及び上記内側側壁部が多角形の組立式紙器を構成するべく該多角形の各辺に対応する複数の要素片をそれぞれ備えているため、組立式紙器を多角形形状とすることができる。
【図面の簡単な説明】
【０００８】
【図１】本願考案の一実施の形態を示す図で、組立式紙器を展開した紙板を示す平面図である。
【図２】本願考案の一実施の形態を示す図で、図１に示す紙板を裏返した状態を示す平面図である。
【図３】本願考案の一実施の形態を示す図で、外側側壁部の両側に連設された内側側壁部を外側側壁部側に折り曲げ、内側側壁部の端部同士を貼り付けた状態を現す斜視図である。
【図４】本願考案の一実施の形態を示す図で、外側側壁部及び内側側壁部を屈曲させて外側筒状体および内側筒状体を形成した状態を示す斜視図である。
【図５】本願考案の一実施の形態を示す図で、外側側壁部及び内側側壁部を屈曲させて外側筒状体および内側筒状体を形成した状態を示す平面図である。
【図６】本願考案の一実施の形態を示す図で、内蓋によって内側筒状体の開口部を閉塞した状態を示す斜視図である。
【図７】本願考案の一実施の形態を示す図で、外蓋によって外側筒状体の開口部を閉塞した状態を示す斜視図である。
【考案を実施するための形態】
【０００９】
以下、図１乃至図７を用いて、本願考案の一実施の形態を説明する。
本実施の形態による組立式紙器１は、以下のような構成となっている。
上記組立式紙器１は、図１に示すように加工した一枚の紙板３を所定の手順で折るとともに適宜接着することによって組み立てられる。
【００１０】
まず、図１を用いて、上記紙板３について説明する。図１に示すように、上記紙板３には外側側壁部５が形成されている。上記外側側壁部５は、４つの外側側壁部要素片５ａ、５ｂ、５ｃ、５ｄが連設されることで構成されている。上記外側側壁部要素片５ａ、５ｂの間にはヒンジ７ａが、上記外側側壁部要素片５ｂ、５ｃの間にはヒンジ７ｂが、上記外側側壁部要素片５ｃ、５ｄの間にはヒンジ７ｃがそれぞれ形成されている。
【００１１】
上記外側側壁部要素片５ａの反外側側壁部要素片５ｂ側（図１中左側）及び、上記外側側壁部要素片５ｄの反外側側壁部要素片５ｃ側（図１中右側）には、内側側壁部９が連設されている。上記内側側壁部９は、上記外側側壁部要素片５ａの反外側側壁部要素片５ｂ側（図１中左側）に連設された内側側壁部要素片９ａと、上記内側側壁部要素片９ａの反外側側壁部要素片５ａ側（図１中左側）に連設された内側側壁部要素片９ｂと、上記外側側壁部要素片５ｄの反外側側壁部要素片５ｃ側（図１中右側）に連設された内側側壁部要素片９ｃと、上記内側側壁部要素片９ｃの反外側側壁部要素片５ｄ側（図１中右側）に連設された内側側壁部要素片９ｄとから構成されている。
【００１２】
上記内側側壁部要素片９ａは、内側側壁部要素片本体１１ａと、この内側側壁部要素片本体１１ａと上記外側側壁部要素片５ａとの間に連設された空間保持用片１３ａと、上記内側側壁部要素片本体１１ａの反空間保持用片１３ａ側（図１中左側）に突出・形成された空間保持用片１５ａとから構成されている。上記空間保持用片１５ａは、上記紙板３の所定の位置に略Ｕ字型の切れ込み１７ａを入れることによって形成されるものである。
又、上記空間保持用片１３ａの図１中表側はのり代２１ａとなっている。
上記内側側壁部要素片本体１１ａと上記空間保持用片１３ａの間にはミシン目状ヒンジ１４ａが設けられている。
上記内側側壁部要素片９ａと上記外側側壁部要素片５ａの間にはヒンジ１６ａが設けられている。
上記内側側壁部要素片９ａと上記内側側壁部要素片９ｂとの間の、上記空間保持用片１５ａの図１中上側と下側には、ミシン目状のヒンジ１４ｂ、１４ｂが設けられている。
【００１３】
上記内側側壁部要素片９ｄは、内側側壁部要素片本体１１ｄと、この内側側壁部要素片本体１１ｄの反内側側壁部要素片９ｃ側（図１中右側）に連設された空間保持用片１３ｄと、上記内側側壁部要素片本体１１ｄの反空間保持用片１３ｄ側（図１中左側）に突出・形成された空間保持用片１５ｄとから構成されている。上記空間保持用片１５ｄは、上記紙板３の所定の位置に略Ｕ字型の切れ込み１７ｄを入れることによって形成されるものである。
上記内側側壁部要素片本体１１ｄと上記空間保持用片１３ｄの間には、ミシン目状ヒンジ１４ｄが設けられている。
上記内側側壁部要素片９ｄと上記内側側壁部要素片９ｃとの間の、上記空間保持用片１５ｄの図１中上側と下側には、ミシン目状のヒンジ１４ｃ、１４ｃが設けられている。
又、上記内側側壁部要素片９ｄの空間保持用片１３ｄの図１中表側はのり代２１ｄとなっている。
上記内側側壁部要素片９ｃの図１中上側の端には、略半円状の切欠き部１９が形成されている。
上記内側側壁部要素片９ｃと上記外側側壁部５ｄとの間には、ヒンジ１６ｃが設けられている。
又、上記内側側壁部要素片９ｃの外側側壁部要素５ｄ側（図１中左側）の図１中表側は、のり代２１ｃとなっている。
尚、上記ヒンジ１６ａ、１６ｃを始めとするヒンジ及びミシン目状ヒンジは、全て、折り曲げ線として機能するものである。
【００１４】
上記内側側壁部要素片９ｂの反内側側壁部９ａ側（図１中左側）の図１中表側はのり代２１ｂとなっている。
又、上記内側側壁部要素片９ｂの図１中上側端部には、内蓋２３が連設されている。上記内蓋２３は、略正方形の内蓋底部２５と、この内蓋底部２５の４辺にミシン目状ヒンジ２６、２６、２６、２６を介して連設された内蓋側面２７ａ、２７ｂ、２７ｃ、２７ｄとから構成される。上記内蓋２３は内蓋側面２７ｃの端部において、ヒンジ２８を介して上記内側側壁部要素片９ｂに連設されている。
同様に、上記内側側壁部要素片９ｂの図１中下側端部には、内蓋２９が連設されている。上記内蓋２９は、略正方形の内蓋底部３１と、この内蓋底部３１の４辺にミシン目状ヒンジ３２、３２、３２、３２を介して連設された内蓋側面３３ａ、３３ｂ、３３ｃ、３３ｄとから構成される。上記内蓋２９は内蓋側面３３ｃの端部において、ヒンジ３４を介して上記内側側壁部要素片９ｂに連設されている。
【００１５】
上記外側側壁部要素片５ｃの図１中上端側にはヒンジ３５を介して外蓋３７が連設されている。上記外蓋３７の反外側側壁部５ｃ側（図１中上側）にはタック３９が連設されている。上記タック３９と上記外蓋３７の間には、逆Ｕ字型の切れ込み４１によって、リップ４３が形成されている。上記タック３９と上記外蓋３７の間の、上記リップ４３の図１中左右方向両側には、ヒンジ４５、４５が設けられている。
【００１６】
上記外側側壁部要素片５ｃの図１中下端側にはヒンジ４７を介して、上記組立式紙器１の底部側の外蓋としての底蓋４９が連設されている。上記底蓋４９の反外側側壁部５ｃ側（図１中下側）にはタック５１が連設されている。上記タック５１と上記底蓋４９の間にはヒンジ５３が設けられており、上記タック５１と上記底蓋４９の間の上記ヒンジ５３の図１中左右方向両側には切れ込み５５、５５が形成されている。
【００１７】
上記外側側壁部要素片５ｂの図１中上端側には、ヒンジ５７を介してフラップ５９が連設されている。また、上記外側側壁部要素片５ｂの図１中下端側には、ヒンジ６１を介してフラップ６３が連設されている。上記フラップ６３の反底蓋４９側（図１中左側）には段付部６５が形成されている。
【００１８】
上記外側側壁部要素片５ｄの図１中上端側には、ヒンジ６７を介してフラップ６９が連設されている。また、上記外側側壁部要素片５ｄの図１中下端側には、ヒンジ７１を介してフラップ７３が連設されている。上記フラップ７３の反底蓋４９側（図１中左側）には段付部７５が形成されている。
【００１９】
次に、図１乃至図７を用いて、本実施の形態による組立式紙器の組み立て手順について説明する。
まず、図１に示した紙板３を裏返して、図２に示すような状態とする。次に、ヒンジ１４ｄにおいて、空間保持用片１３ｄを図２中紙面手前方向に折り曲げる。このとき、のり代２１ｄは、図２中表側を向く。次に、紙板３をヒンジ１６ａ及びヒンジ１６ｃにおいて、内側側壁部９を外側側壁部５側へ折り曲げる。このとき、のり代２１ｄは図２中裏側を向き、のり代２１ｂは図２中表側を向く。そして、内側側壁部要素片９ｄののり代２１ｄと内側側壁部要素片９ｂののり代２１ｂを接着・固定し、上記内側側壁部要素片９ｄと上記内側側壁部要素片９ｂをつなぎ合わせ、図３に示すような状態とする。
尚、図３は、組立式紙器１をやや斜め上方から見た斜視図となっている。
【００２０】
次に、上記外側側壁部５と上記内側側壁部９を折り曲げて、のり代２１ａとのり代２１ｃを接着・固定させて、図４に示すような状態とする。このとき、図４及び図５に示すように、略正方形の横断面形状を有する外側筒状体６が形成され、上記外側筒状体６の内側に略正方形の横断面形状を有し、上記外側筒状体６に対してわずかに回転した状態の内側筒状体１０が形成される。
【００２１】
この状態では、図４及び図５に示すように、外側側壁部要素片５ａ、５ｂ、５ｃ、５ｄと内側側壁部要素片９ａ、９ｂ、９ｃ、９ｄが組み合わさっている。
上記内側側壁部要素片９ａの空間保持用片１５ａは、上記内側側壁部要素片９ｂのミシン目状ヒンジ１４ｂ側が上記外側側壁部要素片５ｂに当接しないようにしており、上記内側側壁部要素片９ｂと上記外側側壁部要素片５ｂとの間に略三角形の横断面形状を有する空間７７ｂが生ずるようにしている。
又、上記内側側壁部要素片９ｄの空間保持用片１３ｄは、上記内側側壁部要素片９ｄのミシン目状ヒンジ１４ｄ側が上記外側側壁部要素片５ｃに当接しないようにしており、上記内側側壁部要素片９ｄと上記外側側壁部要素片５ｃとの間に略三角形の横断面形状を有する空間７７ｃが生ずるようにしている。
又、上記内側側壁部要素片９ｄの空間保持用片１５ｄは、上記内側側壁部要素片９ｃのミシン目状ヒンジ１４ｃ側が上記外側側壁部要素片５ｄに当接しないようにしており、上記内側側壁部要素片９ｃと上記外側側壁部要素片５ｄとの間に略三角形の横断面形状を有する空間７７ｄが生ずるようにしている。
又、上記内側側壁部要素片９ａの空間保持用片１３ａは、上記内側側壁部要素片９ａのミシン目状ヒンジ１４ａ側が上記外側側壁部要素片５ａに当接しないようにしており、上記内側側壁部要素片９ａと上記外側側壁部要素片５ａとの間に略三角形の横断面形状を有する空間７７ａが生ずるようにしている。
【００２２】
次に、内蓋２３、２９を上記内側筒状体１０の内部に挿入し、上記組立式紙器１を図６のような状態になるように折り曲げる。
すなわち、ミシン目状ヒンジ２６によって、内蓋側面２７ａ、２７ｂ、２７ｄと内蓋底部２５を反内側側壁部９側（図４中右側）に折り曲げる。その後、ヒンジ２８によって、上記内蓋２３を上記内側側壁部９側（図４中左下側）に折り曲げて上記内側筒状体１０内に挿入する。
同様に、ミシン目状ヒンジ３２によって、内蓋側面３３ａ、３３ｂ、３３ｄと内蓋底部３１を反内側側壁部９側（図４中右側）に折り曲げる。その後、ヒンジ３４によって、上記内蓋２９を上記内側側壁部９側（図４中左上側）に折り曲げて上記内側筒状体１０内に挿入する。
【００２３】
続いて、ヒンジ６１を折り曲げてフラップ６３を上記内側筒状体１０側（図６中左上側）に倒し、ヒンジ７１を折り曲げてフラップ７３を上記内側筒状体１０側（図６中右上側）に倒し、ヒンジ４７を折り曲げて底蓋４９を上記内側筒状体１０側（図６中右上側）に倒し、ヒンジ５３を折り曲げてタック５１を上記外側側壁部要素片５ａと上記内側側壁部要素片９ａの間に挿入して、上記外側筒状体６の図６中下側の開口部を上記底蓋４９と上記フラップ６３、７３とによって塞ぐ。上記底蓋４９は、上記組立式紙器１の底部の外蓋として機能するものである。
同様に、ヒンジ５７を折り曲げてフラップ５９を上記内側筒状体１０側（図６中左下側）に倒し、ヒンジ６７を折り曲げてフラップ６９を上記内側筒状体１０側（図６中右下側）に倒し、ヒンジ３５を折り曲げて外蓋３７を上記内側筒状体１０側（図６中右下側）に倒し、ヒンジ４５、４５を折り曲げてタック３９を上記外側側壁部要素片５ａと上記内側側壁部要素片９ａの間に挿入して、上記外側筒状体６の図６中上側の開口部を上記外蓋３７と上記フラップ５９、６９とによって塞ぐ。
以上の手順によって、図７に示すような上記組立式紙器１が完成する。
【００２４】
次に、図４乃至図７を用いて、組み立てられた組立式紙器１の構成を確認してみる。
まず、組立式紙器１は、図７に示すような略直方体状の形状を成している。上記組立式紙器１の外側の側面は外側側壁部要素片５ａ、５ｂ、５ｃ、５ｄが連設された外側側壁部５が筒状に折り曲げられた外側筒状体６である。上記外側筒状体６は、略正方形の横断面形状を有する筒状の形状を成している。上記組立式紙器１の底部には外蓋としての底蓋４９が設けられている。上記底蓋４９は、上記外側側壁部要素片５ｃに連設され、先端側にはヒンジ５３を介してタック５１が連設されている。上記タック５１は上記外側側壁部５の内側に挿入されている。
【００２５】
上記底蓋４９の上記外側側壁部５側（図７中上側）には、上記外側側壁部要素片５ｂに連設されたフラップ６３と、上記外側側壁部要素片５ｄに連設されたフラップ７３が折り曲げられている。上記底蓋４９と上記フラップ６３、７３によって、上記外側筒状体６の図７中下側の開口部が閉じられている。上記ヒンジ５３の幅方向両端には切れ込み５５、５５が形成されていて、上記タック５１の上記底蓋４９側の幅方向両端部分は上記フラップ６３、７３の段付部６５、７５の図７中上側に係合している。これにより、上記底蓋４９が不用意に外れないようにしている。
【００２６】
上記組立式紙器１の図７中上側には、外蓋３７が設けられている。上記外蓋３７は、上記外側側壁部要素片５ｃに連設され、先端側にはタック３９が連設されている。上記タック３９は上記外側側壁部５の内側に挿入されている。
【００２７】
上記外蓋３７の上記外側側壁部５側（図７中下側）には、上記外側側壁部要素片５ｂに連設されたフラップ５９と、上記外側側壁部要素片５ｄに連設されたフラップ６９が、上記外蓋３７の内側に折り曲げられている。上記外蓋３７と上記フラップ５９、６９によって、筒状の上記外側筒状体６の図７中上側の開口部が閉じられている。上記タック３９と上記外蓋３７の境界部分には切れ込み４１によってリップ４３が形成されている。上記リップ４３は、上記外蓋３７から、わずかに上記外側側壁部要素片５ａ側に突出している。
【００２８】
上記リップ４３に指を引っ掛けること等によって、上記タック３９を引き出すと共に上記外蓋３７を持ち上げることができる。その後、上記フラップ５９、６９を開くと、上記外側筒状体６の図７中上側の開口部を図６に示すように開放することができ、上記フラップ５９、６９の下から、図６に示すように、内側筒状体１０及び内蓋２３が現れる。
【００２９】
上記内側筒状体１０は、内側側壁部要素片９ａ、９ｂ、９ｃ、９ｄが連設された内側側壁部９が折り曲げられて筒状に形成され、略正方形の横断面形状を有している。上記内側側壁部９と上記外側側壁部５、すなわち、上記内側筒状体１０と上記外側筒状体６は、上記内側側壁部要素片９ｃと上記外側側壁部要素片５ｄ、及び、上記内側側壁部要素片９ａと上記外側側壁部要素片５ａにおいて連設されている。また、図５に示すように、上記内側筒状体１０は、上記外側筒状体６に対して、図５中時計回りに若干回転された状態で上記外側筒状体６の内側に当接している。そのため、上記外側筒状体６と上記内側筒状体１０の間には、図５及び図６に示すように、略三角形の横断面形状を有する空間７７ａ、７７ｂ、７７ｃ、７７ｄが形成される。
【００３０】
上記内側側壁部要素片９ａには空間保持用片１５ａが設けられている。上記空間保持用片１５ａによって、上記内側側壁部要素片９ａに連設された上記内側側壁部要素片９ｂの上記内側側壁部要素片９ａ側が上記外側側壁部５に当接しないようになっている。これにより、上記内側側壁部要素片９ｂと上記外側側壁部５との間に上記空間７７ｂが形成されている。
又、上記内側側壁部要素片９ｄには空間保持用片１５ｄが設けられている。上記空間保持用片１５ｄによって、上記内側側壁部要素片９ｄに連設された上記内側側壁部要素片９ｃの上記内側側壁部要素片９ｄ側が上記外側側壁部５に当接しないようになっている。これにより、上記内側側壁部要素片９ｃと上記外側側壁部５との間に上記空間７７ｄが形成されている。
又、上記内側側壁部要素片９ｄには空間保持用片１３ｄが設けられている。上記空間保持用片１３ｄによって、上記内側側壁部要素片９ｄの上記空間保持用片１３ｄ側が上記外側側壁部５に当接しないようになっている。これにより、上記内側側壁部要素片９ｄと上記外側側壁部５との間に上記空間７７ｃが形成されている。
又、上記内側側壁部要素片９ａには空間保持用片１３ａが設けられている。上記空間保持用片１３ａによって、上記内側側壁部要素片９ａの上記空間保持用片１３ａ側が上記外側側壁部５に当接しないようになっている。これにより、上記内側側壁部要素片９ａと上記外側側壁部５との間に上記空間７７ａが形成されている。
【００３１】
図６に示すように、上記内側筒状体１０の図６中上側の開口部側には内蓋２３が挿入されている。又、上記内側筒状体１０の図６中下側の開口部側には内蓋２９が挿入されている。上記内蓋２３、２９によって、上記内側筒状体１０の開口部が閉じられている。
又、上記内蓋２３の内蓋底部２５は上記内側筒状体１０の図６中上側の開口部よりも内側にあるため、上記内蓋底部２５と上記外蓋３７との間には空間が形成されている。
又、上記内蓋２９の内蓋底部３１は上記内側筒状体１０の図６中下側の開口部よりも内側にあるため、上記内蓋底部３１と上記底蓋４９との間には空間が形成されている。
【００３２】
上記内側側壁部要素片９ｃには切欠き部１９が形成されており、ここに上記内蓋２３の内蓋側面２７ａの一部が上記空間７７ｄ側（図５中左側）に露出している。そのため、上記内蓋２３を上記切欠き部１９において指で摘み、上記内蓋２３を上記内側筒状体１０内から取り出すことができる。上記内蓋２３を上記内側筒状体１０内から取り出すことで、上記内側筒状体１０の図６中上側の開口部を開放することができ、上記内側筒状体１０の内部への内容物の収納及び上記内側筒状体１０の内部からの内容物の取り出しを行うことができる。
【００３３】
以上本実施の形態による組立式紙器によると次のような効果を奏することができる。
まず、組立式紙器１は、一枚の紙板３を折りたたみ、のり代２１ｄとのり代２１ｂの接着・固定及びのり代２１ａ及びのり代２１ｃの接着・固定を行うことによって組み立てることができる。そのため、内容物の保護に優れた紙器を容易に製造することができる。
又、外側側壁部５と内側側壁部９との間に空間７７ａ、７７ｂ、７７ｃ、７７ｄが形成されているため、内側側壁部９内に収納した内容物を側面方向からの外力や衝撃から保護することができる。
又、内蓋２３の内蓋底部２５と外蓋３７との間には空間が形成されており、内蓋２９の内蓋底部３１と底蓋４９との間には空間が形成されているため、内側側壁部９内に収納した内容物を上面側や底面側からの外力や衝撃から保護することができる。
又、上記内側側壁部９の内側側壁部要素片９ｃには切欠き部１９が設けられているため、上記内蓋２３の上記内側側壁部９内からの取り出しが容易で、上記内蓋２３を開けることが容易である。
又、上記外蓋３７にリップ４３が形成されているため、上記外蓋３７を開けやすくなっている。
又、タック５１の上記底蓋４９側の幅方向両端部分はフラップ６３、７３の段付部６５、７５に係合している。そのため、上記底蓋４９が不用意に外れないようになっている。
【００３４】
尚、本願考案は前記一実施の形態に限定されるものではない。
例えば、前記一実施の形態における組立式紙器は略直方体形状であるが、その他にも、立方体形状のものや、四角形以外の多角形形状の横断面を持つものも考えられる。
又、組立式紙器の組み立て手順も、前記一実施の形態における手順に限られない。例えば、内蓋を内側側壁部側に折り曲げた後、内側筒状体及び外側筒状体を形成する場合も考えられる。
又、前記一実施の形態では、組み立て前の紙板の外側側壁部の左右両端に内側側壁部が２つに分割されて連設されていたが、外側側壁部の左右どちらかの一端側に内側側壁部のすべてが連設されている場合も考えられる。
又、のり代２１ｂとのり代２１ｄを接着・固定せずとも、重ね合わせて、その端部を外側筒状体６の内側の角に当接させるのみである場合も考えられる。
又、各部の形状、寸法、角度は様々な場合が考えられる。
【産業上の利用可能性】
【００３５】
本考案は、例えば、内容物を外力や衝撃から保護する緩衝機能を有する組立式紙器にかかり、特に一枚のシートから形成することができ、組み立てが容易で、内容物を外力や衝撃から保護する緩衝効果も高いものとすることができるように工夫したものに係り、例えば、瓶などの梱包材に好適である。
【符号の説明】
【００３６】
１  組立式紙器
３  紙板
５  外側側壁部
５ａ  外側側壁部要素片
５ｂ  外側側壁部要素片
５ｃ  外側側壁部要素片
５ｄ  外側側壁部要素片
６  外側筒状体
９  内側側壁部
９ａ  内側側壁部要素片
９ｂ  内側側壁部要素片
９ｃ  内側側壁部要素片
９ｄ  内側側壁部要素片
１０  内側筒状体
１３ａ  空間保持用片
１３ｄ  空間保持用片
１５ａ  空間保持用片
１５ｄ  空間保持用片
１６ａ  ヒンジ
１６ｃ  ヒンジ
２３  内蓋
２９  内蓋
３７  外蓋
４９  底蓋
７７ａ  空間
７７ｂ  空間
７７ｃ  空間
７７ｄ  空間 
【図１】
0003162468.tif 000003
【図２】
0003162468.tif 000004
【図３】
0003162468.tif 000005
【図４】
0003162468.tif 000006
【図５】
0003162468.tif 000007
【図６】
0003162468.tif 000008
【図７】
0003162468.tif 000009